(57)【特許請求の範囲】
【請求項１】
第１及び第２の対向面を有し当該第１の対向面の少なくとも一部分が第１の発光面である平坦な第１の照明源と、上記第１の対向面の上記第１の発光面の少なくとも一部分に直接接し隣接して位置される第１の写像部材と、上記第１の写像部材が観察されうる視角を制限するように作用するもので上記第１の照明源に平行に位置して上記第１の写像部材の少なくとも一部分に隣接する第１の遮蔽部材と、を具備するビューアッセンブリと、
上記ビューアッセンブリを支持する支持部材であって、これを中心としてビューアセンブリが回転するように構成及び配置されている支持部材と、
上記支持部材に接続される回転手段と、
上記回転手段に接続される電源と、
を有するビューシステム。
【請求項２】
上記ビューアッセンブリは、
複数の対向面を有し、これら対向面の１つの少なくとも一部分は発光面である平坦な第２の照明源であって、上記第１の照明源とこの第２の照明源は隣接して配置され、隣接しない面が前記発光面である第２の照明源と、
上記第２の照明源の発光面の少なくとも一部分に直接接し隣接して位置される第２の写像部材と、
上記第２の写像部材が観察されうる視角を制限するように作用するもので上記第２の照明源に平行に位置し上記第２の写像部材の少なくとも一部分に隣接する第２の遮蔽部材と、
を更に具備することを特徴とする請求項１に記載のビューシステム。
【請求項３】
各照明源と前記写像部材は、一体的な部材である請求項１又は２のいずれかに記載の  ビューシステム。
【請求項４】
上記写像部材は、平坦である請求項１乃至３のいずれかに記載のビューシステム。
【請求項５】
上記遮蔽部材は、平坦である請求項１乃至４のいずれかに記載のビューシステム。
【請求項６】
上記写像部材と遮蔽部材とは、互いに直接接している請求項１乃至５のいずれかに記載のビューシステム。
【請求項７】
上記照明源は、エレクトロルミネッセンスパネルであり、上記写像部材は、液晶ディスプレイであり、上記遮蔽部材は、光制御フィルムである請求項１乃至６のいずれかに記載のビューシステム。
【請求項８】
上記照明源は、端部が照らされる光ガイドであり、上記写像部材は、液晶ディスプレイであり、上記遮蔽部材は、光制御フィルムである、請求項１乃至６のいずれかに記載のビューシステム。
【請求項９】
上記照明源は、蛍光ディスプレイと、ライトパイプと、エレクトロルミネッセンスと、束状の光ファイバーと、端部が照らされる光パイプと、光伝達素子とからなるグループから選択される請求項１乃至６のいずれかに記載のビューシステム。
【請求項１０】
上記照明源は、エレクトロルミネッセンスパネルである請求項１乃至６のいずれかに記載のビューシステム。
【請求項１１】
上記照明源は、端部が照らされる光ガイドである請求項１乃至６のいずれかに記載のビューシステム。
【請求項１２】
上記写像部材は、液晶ディスプレイ或いは写真透明画である請求項１乃至６のいずれかに記載のビューシステム。
【請求項１３】
上記遮蔽部材は、光制御フィルムである請求項１乃至１２のいずれかに記載のビューシステム。
【請求項１４】
上記光制御システムは、約０°ないし約６０°の視角を有する請求項１３に記載のビューシステム。
【請求項１５】
上記ビューアッセンブリは、少なくとも毎分約１２０回転ないし少なくとも約２０００回転の回転速度で、上記軸を中心に回転するように構成されて配置されている請求項１乃至１４のいずれかに記載のビューシステム。
【請求項１６】
上記ビューアッセンブリは、毎分約１２０回転ないし約６００回転の回転速度で、前記軸を中心に回転するように構成されて配置されている請求項１乃至１４のいずれかに記載のビューシステム。
【請求項１７】
上記ビューアッセンブリは、毎分約２００回転ないし約４００回転の回転速度で、前記軸を中心に回転するように構成されて配置されている請求項１乃至１４のいずれかに記載のビューシステム。
【請求項１８】
上記ビューアッセンブリは、少なくとも毎分約１２００回転の回転速度で前記軸を中心に回転するように構成されて配置されている請求項１乃至１４のいずれかに記載のビューシステム。
【請求項１９】
上記ビューアッセンブリは、少なくとも毎分約１４００回転の回転速度で前記軸を中心に回転するように構成されて配置されている請求項１乃至１４のいずれかに記載のビューシステム。
【請求項２０】
上記ビューアッセンブリは、少なくとも毎分約１７５０回転の回転速度で前記軸を中心に回転するように構成されて配置されている請求項１乃至１４のいずれかに記載のビューシステム。
【請求項２１】
前記回転手段に連結された調節装置を更に具備し、この調節装置は、上記ビューアッセンブリの回転速度を調節する、請求項１乃至２０のいずれかに記載のビューシステム。
【請求項２２】
前記ビューアッセンブリを囲んでいる透明なハウジングを更に具備する請求項１乃至２１のいずれかに記載のビューシステム。
【請求項２３】
前記ビューアッセンブリを囲んでいる偏光フィルタをさらに具備する請求項１乃至２２のいずれかに記載のビューシステム。
【請求項２４】
前記偏光フィルタは、前記透明なハウジングの一面に配置されている請求項２３に記載のビューシステム。
【請求項２５】
各照明源は電源に接続されている、請求項１乃至２４のいずれかに記載のビューシステム。
【請求項２６】
送信されたビデオ信号を受信する受信手段を更に具備し、当該受信手段は電源に接続されている、請求項１乃至２５のいずれかに記載のビューシステム。
【請求項２７】
請求項１に記載のビューシステムを、前記ビューアセンブリが軸により２等分される平坦部に実質的に配置されるように与える工程と、
前記ビューアッセンブリを照明する工程と、
前記軸を中心として前記ビューアッセンブリを回転させる工程と、
を有し、像は、前記平坦部に入射するあらゆる角度から、視聴者の視界内で、視聴者によって見られる方法。
【請求項２８】
前記ビューアッセンブリは、水平な面に支持されている請求項２７に記載の方法。
【請求項２９】
前記ビューアッセンブリは、水平な面に吊るされている請求項２７に記載の方法。
【発明の詳細な説明】
【０００１】
【発明の属する技術分野】
本出願は、照明ビューアッセンブリ、この照明ビューアッセンブリを含むビューシステム、並びにこれら両方の使用方法に指向されており、特に、前記ビューアッセンブリに対して直角なあらゆる位置から、及び前記ビューアッセンブリに対して傾斜している複数の位置から見られるイメージを提供する使用方法に指向されている。
【０００２】
この出願に対する従来の技術は、３５  Ｕ．Ｓ．Ｃ．§１１９（ｅ）のもとで、共通して所有され、共に係属中である、それぞれ、Ｓａｌｌｅｙ氏、Ｎｅｉｌ  Ｂ．氏の名義で提出され、また、それぞれ参照によって全体的に組み込まれている２０００年４月１４日に提出された米国の仮特許出願番号第６０／１９７，２８９号と、２０００年７月１１日に提出された第６０／１９７，２８９号と、２００１年１２月２１日に提出された第６０／１９７，２８９号とに請求されている。
【０００３】
【従来の技術】
多くの人に、同時かつ連続的に画像、すなわちディスプレイを提供することが望まれる多くの状況がある。このような状況の例は、ビジネスミーティング、空港や他の輸送センター、ショッピングセンター、並びに多くの人が集まる、もしくは集合するあらゆる場所を含んでいる。通常のディスプレイシステムは、一般的に、後側、もしくは両側から見られることができないので、複数人が様々な場所から同時に前記ディスプレイを見ることを望む場合に、このようなディスプレイが提供されるのは難しい。通常のディスプレイは、視聴者の視線が、写像の平面に対して直角である場合に限定される。かくして、視聴者が適応できるエリアは、適切な視線によって場所が限定される。結果として、通常のディスプレイシステムの近くや、ディスプレイの周りの利用できるスペースの使用が、しばしば限定されてしまう。
【０００４】
この課題を解決しようとする試みは、３６０°回転するディスプレイを要件としていた。このようなディスプレイは、このディスプレイの周りの複数人がこのディスプレイを見ることを可能にした。このようなディスプレイの回転は、あらゆる視聴者がこのディスプレイを熟視する機会を有することを可能とするために、比較的ゆっくりでなければならない。このような遅い回転は、本質的に、１度に数人だけがこのディスプレイを見る一方で、視界から外れた他の人々は、前記ディスプレイが彼らの視界に来るまで待たなければならないということを意味する。
【０００５】
Ｔｒｅｋａ氏らに帰属する米国特許番号第３，８６３，２４６号は、背面光表示装置を開示している。
【０００６】
Ｌａｎｇ氏に帰属する米国特許第３，９７６，８３７号は、平坦な像を２等分する垂直軸を中心に極めて速く回転され得る水平面に位置した背面ビュースクリーンに写像を映し出すための装置を開示している。
【０００７】
Ｌａｎｇ氏らに帰属する米国特許第４，９４３，８５１号は、背面映写スクリーンの周りに、静止位置に位置された複数のＬＣＤパネルを含む液晶ディスプレイスクリーンを有するビューシステムを開示している。
【０００８】
Ｌｎａｇ氏らに帰属する米国特許第４，９７９，０２６号は、写像がＣＲＴから映写されるビューシステムを開示している。
【０００９】
Ｂｅｌｌｉｃｏ氏に帰属する米国特許第５，１５２，０８９号は、多像表示ディスプレイを開示している。
【００１０】
最近では、掲示板の側を通る視聴者が、彼らが前記掲示板を通り過ぎる角度に応じて、２つの異なる写像を見ることを可能とするよろい板を有するように見える掲示板が開示されている。
【００１１】
【発明が解決しようとする課題】
ディスプレイの周りのあらゆる位置にいる人が、ほぼ同時にこのディスプレイを視聴することができるディスプレイを提供するための改善されたシステムが必要とされている。
【００１２】
【課題を解決するための手段】
歴史的に、映写機は、残像の効果を生じさせる速度で、半透明フィルムの直線上ストリップの形態で映写スクリーンに四角い像を映写することに基づいている。残像とは、見えた物が消えた後、もしくは変化した後に、人間の脳が、網膜に与えられた像をどのくらいとどめておくかを説明する生理学用語である。映画の全体的な設計概念は、上記残像の影響に基づいている。映画において、速い連続像は、人間の眼の反応周期より速い速度で連続的にスクリーン上に映像を映すように、閉じて、前進し、照準を合わせ、そして開く機械的シャッターによって提供される。
【００１３】
本発明は、通常の映画のためのベース部を形成する同じ原理であるが、異なる配置の原理を用いる。像は、少なくとも１つの照明源と、少なくとも１つの写像部材と、少なくとも１つの遮蔽部材とを有する回転式の照明ビューアッセンブリから出される、すなわち映写される。
【００１４】
遮蔽部材の効果は、細長い光を遮蔽する部材が、限定された視野を許容するルーバーもしくはベネチアブラインドの効果に類似している。前記視野は、ルーバーの幅、これらルーバー同士の距離、並びに用いられるルーバーの数によって限定され得る。
【００１５】
前記ビューアッセンブリが回転するとき、前記遮蔽部材は、前記ビューアッセンブリの平面が、視聴者の視線の０°（±２４°）まで回転するまで、視聴者が前記照射されている写像部材を見るのを妨げる。もたらされる光学的な効果は、前記ビューアッセンブリが回転するのに応じて、このビューアッセンブリの両側の像が、別の状況では、例えば回転スクリーンに固有の鈍い動きをともなうことなく、連続的に与えられることである。この光学的な効果は、前記残像の効果と組み合わされた、前記ビューアッセンブリの両側での像のアライメントの効果のためである。また、この光学的な効果は、前記ビューアッセンブリの相対的な厚さによっても影響され、前記光学的な効果は、前記ビューアッセンブリの厚さが減少するにしたがって改善される。肉眼レベルで見られるとき、前記ビューアッセンブリの回転動作の認知度は、前記写像部材の表面から回転軸までの距離が減少するのにしたがって減少する。例えば、ルーバーが取着されていない状態で、低速での前記回転ビューアッセンブリを見るとき、前記ビューアセンブリは、このビューアッセンブリがフルサイズになり、そして次に“縮小する”まで、垂直線から繰り返し“成長する”ように見える。前記ルーバーは、フルサイズになったときのみ、照射される映像を視聴者に提供する。
【００１６】
本発明の他の態様は、循環的、もしくは連続的なアニメーション配列を表すアニメーション化された像に指向されている。アニメーション化された像は、ビューアッセンブリと適切にアライメントされたときに、前記像アッセンブリの回転に応じて認知される動きの錯覚を形成することができる２つの像を含むことによって提供され得る。これの一例は、羽根が繰り返し上下にはためかす動きのように見える、中空で舞う蝶の像である。アニメーション化された像は、印刷された文字、グラフィック、もしくはこれらの組み合わせが表示される所定の動作速度で提供される。
【００１７】
比較的高い回転速度では、アニメーション化された像を提供する能力が失われる。しかし、比較的高い回転速度では、本発明は、別の状況では、低い回転速度で生じるストロボ効果の消去を表す、ちらつきの無い像を提供することができる。前記ストロボ効果は、高い回転速度では認知できないようにするので、ちらつきのない像は、印刷された文字、グラフィック、もしくはこれらのあらゆる組み合わせを表示するのに用いられ得る。
【００１８】
前記アニメーション化された像とちらつきの無い像との回転速度は、必ずしも一定である必要は無く、例えばディスプレイの部分として、特に、多重の照明パネルと文字とが、単一のビューアッセンブリに取着されている場合に、前記回転速度を変化させることが望まれることが理解される。
【００１９】
本発明の他の態様は、コンピュータディスプレイ、並びに／もしくはビデオディスプレイを含むビューアッセンブリに指向されている。このようなディスプレイは、組み合わされて、好ましくは、前記アッセンブリに取着されたスクリーンの走査速度に一致する回転速度を必要とする。例えば、伝統的なＬＣＤビデオスクリーンは、毎秒約２９．９７スキャンの速度で走査する。したがって、前記スクリーンは、毎秒約２９．９７回転で回転する必要がある。走査速度は、製造者間で変化することがあり、ある製造者は、調節可能な走査速度を有するスクリーンを提案しており、また、あるスクリーンは、他のスクリーンより“柔軟な”走査を有する。したがって、正確に規制された回転速度が、必ずしも重要であるというわけではない。
【００２０】
前記ビューアッセンブリが、連続的に回転するとき、手もしくは他の障害となる手段などの望ましくない障害物からこのビューアッセンブリを保護し、この回転ビューアッセンブリの表面に対する風の抵抗を最小にすることが必要である、もしくは望ましい。これは、ガラスもしくはアクリルなどの透明な材料から製造されたハウジング内に、前記ビューアッセンブリを収容することによって達成され得る。このハウジングは、前記像アッセンブリの回転軸と同軸に取着され、前記ビューアッセンブリが自由に回転することを可能とする。高い回転速度では、風の抵抗を排除するように、シリンダ状のチャンバ内に真空を形成することが望ましい。
【００２１】
前記ビューアッセンブリのコントラスト及び全体の鮮明度を改善するために、前記ビューシステムの反対側の光と視界構造体とを遮る暗い背景を提供することが必要である、もしくは望ましい。これは、偏光角が水平に対して４５°となるように、前記ビューシステムの周りに完全に、層状の偏光フィルムを位置させることによって達成され得る。この形式において、前記フィルム上の２つの対向点での前記偏光角は直交しており、結果として、望ましくない光を遮断する。偏光フィルムが前記透明なハウジングの内部、もしくは外部に配置されているとき、前記効果は、前記回転ビューアッセンブリの裏側にあるコントラストの暗い背景の効果である。
【００２２】
偏光部材と列をなしている透明なハウジング内に収容された上述のタイプの回転ビューアッセンブリによって、本発明は、アニメーション化された像、ちらつきの無い像、並びにビデオもしくはコンピュータが生じる像を提供するという独自の機能を有する。空間の中央に位置されたとき、この像は、前記ディスプレイの３６０°のパラメータ内で、同時に多数の視聴者に見える。
【００２３】
図面は、図示のためにだけに提供されており、本発明の範囲を規定しないように意図されることが理解される。上述の目的及び他の目的、並びに本明細書に記載されている実施の形態の効果は、図面と関連されたときに、以下に詳細にされている記載を参照して明らかになる。
【００２４】
【発明の実施の形態】
本発明は、ビューシステム及びこのシステムの使用方法に指向されている。このビューシステムは、ビューアッセンブリを２等分する軸“ａ”に対して直交しているあらゆる位置から、また、前記軸“ａ”に対して傾斜している複数の位置から見られる像を提供する回転可能な照明ビューアッセンブリを含む。このビューアッセンブリが回転可能であるとき、好ましくは、前記軸“ａ”を中心に回転される。前記ビューアッセンブリは、以下に、より詳細に記載されている様々な異なる光学的な効果を視聴者に提供するように、様々な回転速度で前記軸“ａ”を中心に回転され得る。
【００２５】
図１は、本発明のビューシステム１０の一実施の形態の斜視図である。ビューシステム１０は、ビューアッセンブリ１２と、回転手段１４と、この回転手段１４に接続されている電源１６とを有する。この電源１６は、本実施の形態ではモーターである。本明細書中に用いられている“ビューアッセンブリ”は、それぞれ以下に規定されている少なくとも１つの照明源と、少なくとも１つの写像部材と、少なくとも１つの遮蔽部材とのあらゆる配置を規定するように意図されている。所定の実施の形態において、前記ビューアッセンブリは、回転のための支持部材によって支持され得る。本実施の形態において、ビューアッセンブリ１２は、好ましくは、前記回転手段１４に接続された支持部材１８によって支持されている。様々なビューアッセンブリが、本明細書中に記載されているビューシステムのすべてに用いられることが可能であり、ビューシステムのいくつかが、以下にさらに詳細に記載されている。
【００２６】
好ましくは、支持部材１８は、平面“Ｐ”内でビューアッセンブリ１２をほぼ２等分している回転軸“ａ”を中心として回転可能である。本実施の形態において、支持部材１８は、好ましくは、アルミニウムなどの比較的軽くて高強度の材料から形成されたロッドである。支持部材１８は、前記ビューアッセンブリ１２の厚さが適切な範囲内に維持されることをもたらすように、このビューアッセンブリ１２に挿入されて延出している。代わって、支持部材１８は、前記ビューアッセンブリの構成との干渉を最小にするために、軸“ａ”に沿ってビューアッセンブリ１２から延出している部分に分割され得る。必要とされる場合には、前記支持部材１８の支持部を形成するように、支持基部２０が設けられてもよいが、必ずしも必要ではない。
【００２７】
前記支持部材１８は、限定されないが、天井部、壁部、床部、窓部などを含むあらゆる方向を有する面で支持してよい。製造の容易性のために、本実施の形態では、支持部材１８は、モーター１４に接続されて支持されている。しかし、上述されたあらゆる面に設けられた支持部材１８と、限定されないが、プーリなどを含む他の接続手段を介してこの支持部材１８に接続されているモーター１４とによって、ビューアッセンブリ１２の支持部を形成することが可能である。適切な構成は、この技術分野の通常に知識を有する者にとって明らかである。
【００２８】
また、この技術分野ですでに知られているように、前記照明源に電力を通すために、ブラシとコレクタリングアッセンブリ（図示されていない）とが設けられている。この技術分野の通常の知識を有する者は、電力を供給するためのあらゆる適切な方法が用いられることを理解するであろう。必要な場合、前記モーター１４には、回転速度を制御するように、分離した速度制御部（図示されていない）、並びに／もしくは前記モーターの速度を検出するように、タコメータ（図示されていない）が設けられている。本明細書にはモーターとして図示されているが、この分野の通常の知識を有する者は、回転手段が、前記ビューアッセンブリに対する回転動作を伝達するあらゆるタイプの装置であってよいことを認識するであろう。さらに、この分野の通常の知識を有する者は、前記回転手段が、前記支持部材に直接接続されている必要が無いことも認識するであろう。例えば、回転手段は、前記ビューアッセンブリのベルト駆動もしくはギア駆動を許容するようにオフセットされ得る。
【００２９】
また、この技術分野の通常の知識を有する者は、例えばバッテリ、巻線、もしくは電気出力部からの電力などのあらゆる電源が用いられることも認識するであろう。一般的に、１２０ボルトのＡＣ電源に値する典型的な消費部が用いられ、この電源は、適切なＡＣ／ＤＣ変換器によって、もしくは適切なＤＣバッテリから直流電源に変換される。当然、この技術分野の通常の知識を有する者は、例えば前記電気出力部へ受けられるようにされた電気プラグなど、アッセンブリに対する適切な変形が必要とされることを認識するであろう。
【００３０】
動作において、前記システムは、照明のために、テーブルなどの水平面に設置されている。そして、電源が入れられ、前記ビューアッセンブリを点灯し、このビューアッセンブリが、生じる残像の効果を許容する速度で回転することを可能にする。図２（Ａ）は、動作中の前記システムの上面図である。示されているように、回転しているとき、前記ビューシステム１０の周“Ｃ”に環状に位置されているすべての視聴者“Ｖ”は、ビューアッセンブリ１２に表示されている像を見ることができる。当然、前記ビューアセンブリからの各視聴者“Ｖ”の距離は、各個の視力に応じて変化する。かくして、“Ｃ”の位置は変化し、この“Ｃ”の表示は、前記ビューシステムからの特定の距離を規定するように意図されていない。かくして、良い視力を有する視聴者は、視力の悪い視聴者よりかなり遠くから表示された像を見ることができる。この方法の重要な面は、前記システムの周りのどの位置であっても、視聴者の視力にだけによって限定される、ディスプレイを見る能力を視聴者に提供することである。
【００３１】
図２（Ｂ）は、動作中のシステム１０の側面図である、３６０°の視野を提供するのに加えて、視聴者は、前記ビューアッセンブリに対して直交以外の様々な異なる位置からも、前記ビューアッセンブリに表示されている像を見ることができる。例えば、前記ビューシステム１０の上方、もしくは下方に立っている視聴者は、ディスプレイを見ることができる。
【００３２】
図３（Ａ）及び３（Ｂ）は、統合的に取り扱われて、図１に示されているビューアッセンブリ１２を示している。図３（Ａ）の分解図に示されているように、ビューアッセンブリ１２は、対向面２４，２６を有する単一の照明源２２と、それぞれ対向面３０，３２を有する２つの写像部材２８と、それぞれ対向面３６，３８を有する２つの遮蔽部材３４と、それぞれ対向面４４，４６を有する第１及び第２の偏光フィルタ４０，４２を有する。本明細書に用いられている“照明源”は、光が伝達されるあらゆる材料を規定するように意図されている。本明細書に用いられている“遮蔽部材”は、選択的に、光を遮蔽する、曲げる、偏向する、反射する、もしくは吸収するあらゆる材料、もしくは装置を規定するように意図されている。
【００３３】
図３（Ｂ）に示されているように組み立てられたとき、ビューアッセンブリ１２は、対向する上部エッジ４８と下部エッジ５０と、対向する２つの側部エッジ５２，５４と、対向する２つの外面５６，５８とを有する。本実施の形態において、照明源２２の対向面２４は、前記写像部材２８の面３２に対して隣に位置されている。写像部材２８の面３０は、前記遮蔽部材３４の面３８に対して隣に位置されている。前記遮蔽部材３４の１つは、第１の方向を有する偏光フィルタ４０の面４４に対して隣に位置されている面３６を有する。そして、残りの遮蔽部材３４は、第１の偏光部材４０に垂直な第２の方向を有する偏光フィルタ４２の面４６に対して隣に位置した面３６を有する。また、本実施の形態において、照明源２２と、写像部材２８と、遮蔽部材３４と、偏光フィルタ４０，４２との隣り合っているそれぞれの面は、好ましくは、互いに直接接触して位置されている。
【００３４】
ビューアッセンブリ１２は、例えば、前記照明源、写像部材、遮蔽部材、並びに偏光フィルタを互いに、グルー結合、貼り付け、締留、挟持、もしくはクランプ結合など、この技術分野の通常知識を有する者に知られたあらゆる方法によって組み立てられ得る。これは、例えば粘着によって、この粘着の方法が光の伝達と干渉しないことをもたらすように達成される。
【００３５】
前記写像部材が形成される適切な材料は、光学的な透明画、ＬＣＤパネル、インク層、透き通ったアセテートに印刷された文字、正射フィルム（ｏｒｔｈｏｇｒａｐｈｉｃ  ｆｉｌｍ）などを含む。像は、各写像部材上、もしくは各写像部材中に形成され、これら写像部材は、同じでも異なっていてもよい。
【００３６】
いくつかの実施の形態においては、前記照明源と写像部材とが一体的であってよく、以後、照明／写像部材（ｉｌｌｕｍｉｎａｔｉｏｎ／ｉｍａｇｅ  ｍｅｍｂｅｒ）として参照される。かくして、本明細書中に用いられている“照明／写像部材”は、写像部材の補助が無くても、光と像との両方を提供することができるあらゆる材料を規定するように意図されている。
【００３７】
適切な平坦照明源の例は、エレクトロルミネッセンスパネル（ＥＬＰ）と、蛍光ディスプレイと、有機光発光装置（ＯＬＥＤ）と、ライトパイプなどの光伝達要素と、束状の光ファイバーパネルと、垂直もしくは水平配置の蛍光冷陰極管と、端部が照らされる光ガイド（ｅｄｇｅ−ｌｉｔ  ｌｉｇｈｔ  ｇｕｉｄｅｓ）などを含んでいる。照明源の例として、ライトパイプ、束状の光ファイバー素子、光伝達素子などを有する平坦形状に形成され得る。端部が照らされる光ガイドは、好ましくは１つの照明源（Ｂｒｉｇｈｔ  Ｖｉｅｗ  Ｔｅｃｈｎｏｌｏｇｉｅｓ（以前は、ＣＬＩＯ  Ｔｅｃｈｎｏｌｏｇｉｅｓ  Ｉｎｃ．Ｈｏｌｌａｎｄ，Ｏｈｉｏ）より手にいれられるＣＣＦＬという製品名である端部光の光ガイド（ｅｄｇｅ  ｌｉｇｈｔ−ｌｉｇｈｔ  ｇｕｉｄｅ））である。
【００３８】
他の適切な照明／像源の例は、有機光発光装置（ＯＬＥＤ）、透過性有機光発光装置（ＴＯＬＥＤ）、積重ね有機光発光装置（ＳＯＬＥＤ）、可撓性有機光発光装置（ＦＯＬＥＤ）、束ねられた光ファイバーパネル、前記光部材への直接的なエッチングもしくはカービングなどである。
【００３９】
適切な遮蔽部材の例は、この技術分野の通常の知識を有する者にとって明らかなシャッター、ルーバー、格子、スクリーン、レンズ上のシート、プリズム、レンズ、光制御フィルム（３Ｍから入手できる製品名Ｌｉｇｈｔ  Ｃｏｎｔｏｌ  Ｆｉｌｍ）、もしくはあらゆる適切な材料又は装置を有する。好ましい実施の形態において、前記遮蔽部材は、調節可能である。この遮蔽部材の材料選択は、実際上考慮すべき問題だけでなく、用途にしたがう。前記遮蔽部材は、任意の形状もしくはサイズをとり得る。
【００４０】
特に好ましい実施の形態において、前記遮蔽部材は、光制御フィルム（ＬＣＦ）（３Ｍ（セントポール，ミネソタ州）から入手できる）である。このようなフィルムは、小さなベネチアブラインドもしくはルーバーのように機能して、望ましくない周囲の光を遮断したり、光をディスプレイへ案内したり、あるいはこの両方を行なう。前記フィルムの効果は、光を遮蔽する細いストリップ状の材料が制限された視野を許容するベネチアブラインドの効果に類似している。前記視野は、ルーバーの幅と、これらルーバー間の距離と、所定の領域に含まれるルーバーの数とによって制限され得る。このようなフィルムは、様々な視角（すなわちルーバー角）によって得られる。前記視角、すなわちルーバー角の選択は、実際上の考慮すべき問題だけでなく、用途にしたがう。例えば、“鋭角の”像が望まれるところでは、一般的に、狭い視角を提供することが望まれる。一般的に、狭いルーバー角を備えたＬＣＦは、狭い視角、結果的には鋭角の像を提供する。例えば、２４°のルーバー角を備えたＬＣＦは、４８°のルーバーより鋭角の像を提供する。他の特に好ましい実施の形態において、前記遮蔽部材は、非積層ＬＣＦである“薄く裂かれたフィルム（ｓｋｉｖｅｄ  ｆｉｌｍ）”であってよい。
【００４１】
本実施の形態に示されているように、前記ビューアッセンブリは、偏光に対して反対方向に配置された偏光フィルタを有し、この偏光フィルタは、以下にさらに詳細に述べられているように、偏光ガラスと関連して用いられ得る。この技術分野の通常の知識を有する者は、以下に記載されているいずれの実施の形態においても用いられ得ることを認識するであろう。また、本明細書には、前記遮蔽部材を覆っている偏光フィルタが示されているが、この技術分野の通常の知識を有する者は、前記フィルタの位置が本発明の本質ではないことも認識するであろう。例えば、偏光フィルタは、前記照明源と前記写像部材との間に配置されるか、もしくは遮蔽部材を覆ってもよい。
【００４２】
一般的には、前記写像部材と前記回転軸“ａ”との間の距離を最小にすることは効果的である。前記写像部材と回転軸“ａ”との間の距離が開くにしたがって、前記像の透明性は低くなり、像の歪みが大きくなる。逆に、前記写像部材と軸“ａ”との間の距離を最小にすることは、前記ビューアッセンブリが回転したとき、像の歪みを最小にし、透明性を高くする。
【００４３】
前記写像部材と前記回転軸との間の距離を最小にする１つの方法は、前記ビューアッセンブリの厚さを最小にすることである。例えば、前記写像部材の表面が前記軸“ａ”にかなり近いとき、視点の高さで認識される回転動作は、実際には存在しない。コントラストについて、ルーバーを取着していない低速での回転ビューアッセンブリを用いることは、像がフルサイズになり、そして次に“縮小する”まで、垂線から繰り返し“成長する”ように見える像を提供する。いくつかの場合において、前記特定の構成は、それぞれの厚さによって限定される。例えば、照明源と写像部材との間に“サンドイッチして”遮蔽部材を提供することが可能であり、提供された遮蔽部材は、前記ＬＣＦもしくは薄く裂かれたフィルムのように、比較的薄い。
【００４４】
照明源と、写像部材と、遮蔽部材との構成は、非平坦、もしくはほぼ平坦であってよく、これは、それぞれ、以下にさらに詳細に記載されている特定の光学的な効果を提供する。前記ビューアッセンブリがほぼ平坦である実施の形態において、前記ビューアッセンブリの実質的な部分が、前記軸“ａ”と平行な平面“Ｐ”内にあるか、もしくは共通平面であることが好ましい。“実質的な平面”によって、前記ビューアッセンブリは、約２０％より低い傾斜面を有して、わずかに凸状、もしくは凹状であり、また、他の鏡面の変形を有する。
【００４５】
本実施の形態においては、ほぼ平坦として示されているが、前記ビューアッセンブリは、所望の光学的な効果に応じて任意の形状もしくはサイズを有する。このようなビューアッセンブリ６０の一例は、図４に上面図が示されている。ビューアッセンブリ６０は、照明源６２と、写像部材６４と、本実施の形態においては、約４８°の視野を有するマイクロルーバーである２つの遮蔽部材６６，６８とを有する。好ましくは、前記照明源６２と写像部材６４とは、互いに隣り合って位置されている。遮蔽部材６６，６８は、共に、湾曲した側面を有する。この遮蔽部材６６の外部エッジは、この遮蔽部材６６の裏側が外方に向くように、写像部材６４と隣り合って位置されている。前記遮蔽部材６８の裏側は、前記遮蔽部材６６の外側エッジが外方に向くように、前記遮蔽部材６６の裏側と隣接して位置されている。これら遮蔽部材６６，６８をこの形式で配置することは、前記マイクロルーバーの視野を、約４８°ないし約１５°の効果的な視野にまで減じる。もたらされる光学的な効果は、図５（Ａ）と５（Ｂ）とに比較して示されているように、前記視野の垂直方向の範囲が、視聴者に対してθ１からθ２へ小さくされることである。
【００４６】
上述されたように、様々なビューアッセンブリが、上述のシステムだけでなく、他のいかなるシステムにも用いられ得る。図６（Ａ）及び６（Ｂ）には、ビューアッセンブリ１１２の他の実施の形態が、統一的に示されている。図６（Ａ）の分解図に示されているように、ビューアッセンブリ１１２は、対向面１２４，１２６を有する照明源１２２と、対向面１３０，１３２を有する写像部材１２８と、対向面１３６，１３８を有する遮蔽部材１３４とを有する。
【００４７】
図６（Ｂ）に示されているように、組み立てられたとき、ビューアッセンブリ１１２は、対向する上部エッジ１４８と下部エッジ１５０と、対向する２つの側部エッジ１５２，１５４と、対向する２つの面１５６，１５８とを有する。本実施の形態において、前記照明源１１２の面１２４は、発光面である。本実施の形態において、前記照明源、写像部材、並びに遮蔽部材は、上述されたこれら各部材と同じであり、前記ビューアッセンブリは、前の実施の形態と類似した形式で構成されてよい。
【００４８】
上述されているように，一般的に、前記写像部材と前記回転軸“ａ”との間の距離を最小にすることは効果的である。前記写像部材と回転軸との間の距離を最小にする他の方法は、平面“Ｐ”と共通平面になるか、もしくは平面“Ｐ”とほぼ共通平面となるように、写像部材を設けることである。図７（Ａ）及び７（Ｂ）は、それぞれ、このような配置を用いたビューアッセンブリ７０の斜視図及び上面図である。ビューアッセンブリ７０は、図６（Ａ）及び６（Ｂ）にすでに示されている２つのビューアッセンブリ１１２を有する。示されているように、このビューアッセンブリ７０の面１５６は、前記平面“Ｐ”と共通平面である。このような配置を収容するために、残りのビューアッセンブリ（すなわち、前記写像部材１２８と照明源１１２と）は、前記平面“Ｐ”の前もしくは後に取着されなければならない。本実施の形態において、前記照明源、写像部材、並びに遮蔽部材は、すでに述べられている各部材と同じであり、前記ビューアッセンブリは、前の実施の形態と類似した形式で構成されてよい。
【００４９】
図７（Ａ）及び７（Ｂ）に示されているように、本実施の形態において、前記写像部材１２８と照明源１２２との両方は、前記平面Ｐの後側に延出しており、前記ビューアッセンブリが矢印“Ｒ”で示された方向に回転するとき、面１５６の後側に移動する。このような配置は、より明るい照明源が望ましいときに効果的であり、この照明源は、一般に、明るくない照明源より比較的厚い。より厚い照明源が用いられている配置は、典型的には、前記ビューアッセンブリの面と前記回転軸との間の距離が開くことを意味し、低い透明性と大きな像の歪みとを生じる。かくして、前記ビューアッセンブリが前記平面Ｐと共通平面である、厚い照明源を用いる配置は、例えば、周囲の光の状態において、また、周囲の状態より明るい場合において望ましい。
【００５０】
図８（Ａ）及び８（Ｂ）には、ビューアッセンブリ２１２の他の実施の形態が示されている。図８（Ａ）の分解図に示されているように、ビューアッセンブリ２１２は、２つの対向面２２４，２２６を有する照明源２２２と、それぞれ対向面２３０，２３２を有する２つの写像部材２２８と、それぞれ対向面２３６，２３８を有する２つの遮蔽部材２３４とを有する。この実施の形態において、前記照明源２２２は、前記対向面２２４，２２６の一方、もしくは両方から発光することができる。かくして、前記照明源２２２を照らすように、適切な電源が供給されたとき、前記ビューアッセンブリ２１２は、片面、もしくは両面から発光する。
【００５１】
図８（Ｂ）に示されているように組み立てられたとき、前記ビューアッセンブリ２１２は、対向する上部エッジ２４８と下部エッジ２５０と、対向する２つの側部エッジ２５２，２５４と、２つの対向面２５６，２５８とを有する。この実施の形態において、前記照明源、写像部材、並びに遮蔽部材は、上述さらているものと同様であってよい。このビューアッセンブリは、偏光フィルタを除いて、前の実施の形態と類似した形式で構成されている。本明細書には、２つの照明源が示されているが、この技術分野の通常の知識を有する者は、所望の場合には、１つのみが用いられることを認識するであろう。対向する両面から発光する単一の照明源が用いられ、偏光フィルタが備えられたとき、この偏光フィルタの配置は、上述した通りである。
【００５２】
統一的に取り扱われている図９（Ａ）及び９（Ｂ）を参照すると、２つの照明源を有するビューアッセンブリ３１２の他の実施の形態が示されている。片面だけを通る光を提供する照明源を用いるときや、前記ビューアッセンブリの対向する側部からの光の伝達量を最大にすることが望まれるときなどのいくつかの場合、前記ビューアッセンブリに追加の照明源を有することが望まれる。かくして、ビューアッセンブリ３１２は、追加の照明源を有することによって今までのビューアッセンブリとは異なる。図９（Ａ）の分解図に示されているように、前記ビューアッセンブリ３１２は、２つの照明源３２２と、２つの写像部材と、２つの遮蔽部材とを有する。この実施の形態において、各照明源３２２は、発光面及び非発光面を有し、前記照明源は、前記非発光面と前記発光面とがそれぞれ外方に向くように配置され得る。
【００５３】
図９（Ｂ）に示されているように組み立てられたとき、前記ビューアッセンブリ３１２は、対向する上部エッジ３４８と下部エッジ３５０と、対向する２つの側部エッジ３５２，３５４と、対向する２つの面３５６，３５８とを有する。この実施の形態において、前記照明源、写像部材、ならびに遮蔽部材は、上述された各部材と同じであり、前記ビューアッセンブリは、前の実施の形態と類似して構成されていてよい。
【００５４】
上述されているように、前記ビューアッセンブリのいくつかの実施の形態において、単一の照明／像源は、前記ビューアッセンブリの構成を簡易にすることがある分離した照明源及び写像部材の代わりに設けられていていてよい。このような場合、前記照明／像源は、照明源と、像源との両方として機能する。これらの例は、ＯＬＥＤ、ＦＯＬＥＤ、並びに、前記光部材への直接的なエッチングもしくはカービングである。
【００５５】
図１０は、２つの照明／像源４３４を有するビューアッセンブリ４１０の上面図である。このビューアッセンブリ４１０は、分離した写像部材の消去によって、前のビューアッセンブリとは異なる。このビューアッセンブリは、前の実施の形態と同様である。かくして、本実施の形態においては、各照明／像源４３８の１つの対向面（図示されていない）が、遮蔽部材４２４の対向面（図示されていない）の１つに対して隣り合って位置されている。本実施の形態においては、前記照明／像源と遮蔽部材とは、上述されたこれら部材から選択され得、前記ビューアッセンブリは、前の実施の形態と類似した形式で構成されてよい。
【００５６】
図１１は、２つの照明／像源５３８と、２つの遮蔽部材５２４と、第１及び第２の偏光フィルタ５３０，５３２とを有するビューアッセンブリ５１０の上面図である。本実施の形態のビューアッセンブリは、前記偏光フィルタを含むことによって前の実施の形態とは異なる。本実施の形態においては、各照明／像源５３８の１つの対向面（図示されていない）は、遮蔽部材５２４の対向面（図示されていない）の１つに対して隣接して位置されている。好ましくは、前記偏光フィルタ５３０，５３２は、それぞれ前記遮蔽部材５２４に隣接して位置されている。かくして、本実施の形態において、第１の方向を有する第１の偏光フィルタ５３０は、どちらかの遮蔽部材５２４を覆っており、また、第１の偏光フィルタ５３０と直交する第２の方向を有する第２の偏光フィルタ５３２は、残りの遮蔽部材５２４を覆っている。本実施の形態において、前記照明／像源と遮蔽部材とは、上述のこれら部材から選択され得、前記ビューアッセンブリは、前の実施の形態と類似した形式で構成されてよい。
【００５７】
他の実施の形態は、前記光ビューアッセンブリを回転させることを含む方法に指向されている。前記ビューアッセンブリが回転され、電源が、前記照明源もしくは照明／像源に供給されたとき、光は、前記照明源から発光し、存在する場合には前記写像部材中を伝達され、また、前記遮蔽部材の孔を通る。この形式において、発光された光は、前記軸“ａ”に直交するあらゆる位置において、また、前記軸“ａ”に対して傾斜している複数の位置から、前記ビューシステムを見る視聴者に到達することが可能であり、前記ビューシステムは、前記軸“ａ”を中心に回転することができる。前記ビューシステムに対する上記あらゆる位置にいるいかなる視聴者であっても、同じ像を同時に観察することができる。前記ビューアッセンブリが回転するにしたがって、前記ルーバーは、前記ビューアッセンブリの平面が前記視聴者の視線の０°（±２４°）まで回転するまで、視聴者が照らされた前記写像部材を見るのを妨げる。効果は、前記ビューアッセンブリが所定の速度で回転するにしたがって、前記ビューアッセンブリの片側もしくは両側の前記写像部材に映っている像が、別の状況では、回転するスクリーンに固有の鈍い動きをともなうことなく、連続的に存在することである。この効果は、残像の効果とともに前記スクリーンの片側での像のアライメントによる。
【００５８】
上述されているように、前記ビューアッセンブリの回転速度は、実際上の考慮すべき問題だけでなく、望ましい効果にしたがって変化可能である。様々な変化が、前記異なるビューアッセンブリによって達成され、各ビューアッセンブリは、軸“ａ”を中心にして異なる速度で回転され得る。
【００５９】
方法の一実施の形態は、動きの認識を提供するように、軸“ａ”を中心に回転される２つの異なる像を含むビューアッセンブリを有する。本実施の形態においては、残像によって、脳は、実際の動きのように変化する像、もしくはアニメーション化された像を認識する。好ましくは、本実施の形態において、前記ビューアッセンブリは、約１２０ＲＰＭないし約６００ＲＰＭ、好ましくは約１６０ＲＰＭないし約５２５ＲＰＭ、より好ましくは約２００ＲＰＭないし約４５０ＲＰＭの回転速度で軸“ａ”を中心として回転され得る。また、この回転速度で、前記写像部材は、印刷された文字、グラフィック、もしくはこれらのあらゆる組み合わせを表示することができる。
【００６０】
比較的高速の回転速度では、ストロボ効果が消去されるが、アニメーションを提供する機能が失われる。しかし、前記ビューアッセンブリは、印刷された文字、グラフィック、写真、もしくはこれらのあらゆる組み合わせをまだ含むことができる。かくして、方法の他の実施の形態は、一様の像を提供するように（以下の実施例２参照）、軸“ａ”を中心に回転され得る同じ、もしくは異なる像を有する。本実施の形態において、別の状況で低い回転速度で生じるストロボ効果が、一様な像をもたらすように消去される、もしくは認識できないほど小さくされるように、回転速度の範囲が用いられる。前記ストロボ効果は、前記ビューアッセンブリの回転速度を高くすることによって消去される、もしくは認知できないほど小さくされる。かくして、本実施の形態において、前記ビューアッセンブリは、好ましくは、少なくとも約１２００ＲＰＭ、好ましくは、少なくとも約１４００ＲＰＭ、より好ましくは、少なくとも約１７５０ＲＰＭの回転速度で軸“ａ”を中心に回転され得る。
【００６１】
例えば、前記ビューアッセンブリは、印刷された文字と、写真を含む他の写像部材とを備えた１つの写像部材を有する。望ましい速度で回転されたとき、視聴者は、写真に重なっている前記印刷された文字を認識する。代わって、回転されたとき、文字が前記写真の上に配置された単一の像を視聴者が認識するように、前記印刷された文字は、前記第１の写像部材の上側半分に配置され、前記写真は、第２の写像部材の下側半分に配置される。
【００６２】
上述されているすべての実施の形態の回転速度は、必ずしも一定である必要はなく、特に、多重の光パネルと文字とが同じビューアッセンブリに設けられた場合、表示の部分として回転速度を変化させることが望まれることが理解される。
【００６３】
さらに別の実施の形態において、前記ビューアッセンブリは、コンピュータとビデオディスプレイとに用いられる型式のスクリーンを有する。例えば、ＬＣＤは、ＬＣＳスクリーンの背面の照明源とともに、写像部材として用いられ得る。本実施の形態におけるビューアッセンブリの回転速度は、好ましくは、前記スクリーンの走査速度に一致する。例えば、ＬＣＤビデオスクリーンは、一般に、毎秒２９．９７スキャンの速度で走査する。他の場合には、前記一致は正確である必要はない。例えば、類似の効果は、±１０％の走査速度である回転速度によって達成され得る。この技術分野の通常の知識を有する者は、走査速度は、前記スクリーンの型式や製造者に応じて変化することを認識するであろう。また、いくつかのスクリーンは、調節可能な走査速度を有するように製造される。
【００６４】
上述されたすべての方法にしたがって、片側のみ照らされているビューアッセンブリが用いられる。しかし、このようなビューアッセンブリによって、上述されているあらゆる効果を達成するために、前記アッセンブリの回転速度は、両側を照らされているビューアッセンブリに必要とされる約２倍でなければならない。また、片側のみ照らされているビューアッセンブリは、アニメーション効果を提供することができなくてもよい。
【００６５】
いくつかの場合において、視聴者に対する視覚的障害を最小にするために、前記ビューシステムの両側に設けられたビュー構造から保護することが望まれる、もしくは保護する必要がある。これは、例えば、図２２に示されているように偏光フィルタ８００の角度が水平に対して約４５°であるときに、図２３に示されているようにビューアッセンブリもしくはビューシステムを囲むように、この偏光フィルタ８００を位置させることによって達成され得る。この形式において、フィルム上の任意の対向する２点での前記偏光フィルタ８００の方向は直交する。これは、前記ビューアッセンブリがハウジングによって囲まれているときに、さらに容易に達成され得る。例えば、前記ビューアッセンブリは連続的に回転しているので、手などの望ましくない障害、もしくは障害物となる他の手段を遮る必要があり、また、回転するアッセンブリの表面に対する風の抵抗を最小にする必要がある。これは、ガラスもしくはアクリルなどの透明な材料から構成されたハウジング内に前記ビューアッセンブリを収容することによって達成され得る。好ましくは、前記ハウジングは、前記ビューアッセンブリが内側で自由に回転することができるようにビューアッセンブリの軸“ａ”を中心として好ましくは同軸に取着されている。高速の回転では、風の抵抗を排除するように、前記ハウジング内に真空を形成することが望ましい。
【００６６】
前記ビューアッセンブリのコントラスト及び全体的な可視性を改善するために、前記ビューアッセンブリの両側で、光と視界構造体とを遮蔽する暗い背景を形成することが必要である。図２３に示されているように、点“Ｘ”において、偏光角は直交し、光は効果的に遮られる。物体もしくは照らされた形状物が前記シリンダ内に位置されているとき、この物体もしくは照らされた形状物は、前記シリンダの３６０°の周にわたって視聴者に効果的に沿っている暗い背景の前面に現れる。これは、偏光角が水平に対して４５°であるように、前記ビューシステムの周りに完全に偏光フィルムの層を位置させることによって達成され得る。この形式において、前記フィルム上の任意の対向する２点において偏光が直交し、したがって望まない光を遮る。この偏光フィルムが前記透明なハウジングの内部もしくは外部を整列させるとき、前記効果は、前記回転ビューアッセンブリの裏側にあるコントラストの暗い背景の効果である。
【００６７】
前記ビューアッセンブリが偏光部材と一直線となるシリンダ形状の透明ハウジング内に収容されているとき、このビューアッセンブリは、２層のアニメーション化された像を提供する独自の機能と、ちらつきの無い像と、３６０°にわたって像を映し出すビデオもしくはコンピュータとを有する。空間の中央に位置されたとき、この像は、ディスプレイの３６０°の周にわたって同時に複数の視聴者に見える。
【００６８】
また、立体光学（ｓｔｅｒｅｏ−ｏｐｔｉｃ）ディスプレイは、回転ビューアッセンブリを見るときに、１人もしくは複数の視聴者に深い認知を提供する方法を容易にする偏光ガラスの補助を視聴者に与えることができる。光学フィルタが前記ビューアッセンブリ内に含まれるとき、この立体光学効果が認識され得る。前記ガラスが、囲まれた偏光フィルムと関連して用いられるとき、前記立体光学効果は無効になる。前記立体光学像は、前記ビューアッセンブリが回転され得る軸に直交するあらゆる位置から、また、この軸に対して傾斜している複複数の位置から見られ得る。かくして、ビューシステムの周りの様々な位置に位置された数人の視聴者は、立体光学ディスプレイのような前記ビューシステムによって、設けられたディスプレイを見ることができる。
【００６９】
さらに、本発明は、以下の実施例によっても示されるが、本質的に明瞭にすることが意図されており、本発明の技術的思想を限定するようには考えない。
【００７０】
（動作例）
異なるビューアッセンブリを含むシステムは、本発明のビューアッセンブリ及びビューシステムの効果を明示するように構成されている。
【００７１】
（実施例１）
例示的なビューアッセンブリ６００の一例は、統一的に取り扱われている図１２−１７を参照して示される。このビューアッセンブリ６００は、図３（Ａ）及び３（Ｂ）に示されている型式のビューアッセンブリ６０６と透明なハウジング６０４とを有する。前記ビューアッセンブリ６０６は、約１／８インチの全厚を有する黒いプラスチック材料のフレーム内に配置されている。前記ビューアッセンブリは、２重の壁になるように接着された黒いテープを用いて、前記フレーム内に固定されている。
【００７２】
支持部６１０が、インバータ６１２と、２つのバッテリ６１４，６１８と、本発明においてはファン（Ｒａｄｉｏ  Ｓｈａｃｋから入手できる）であるモーター６１６とのための支持部を形成するように用いられている。インバータ６１２は、９ＶのＤＣバッテリであるバッテリ６１８に連結されている。そして、このバッテリ６１８は、ロッド部６２３ｂに取着されたブラシとコレクタリング（図示されていない）とを介して、リードワイヤ６２２によってＥＬＰに連結されている。前記バッテリ６１４は、リードワイヤ６２０によって前記モーター６１６に接続された４．５ＶのＤＣバッテリである。かくして、前記バッテリ６１４は、前記モーター６１６を回転させるように電力を供給し、また、前記バッテリ６１８は、前記ＥＬＰを発光させるように電力を供給する。
【００７３】
支持ロッド部６２３ａ，６２３ｂは、前記ビューアッセンブリ６０６をほぼ２等分する軸“ａ”に沿ってフレーム６０８に接続されている。支持ロッド部６２３ｂは、前記モーター６１６に直接接続されている。支持ロッド部６２３ａは、ハウジング６０４内のボス部材６２４に挿入されている。
【００７４】
ビューアッセンブリ６０６は、前記照明源として２つのＥＬＰを有する（製品番号第Ｈ９０００２ＷのＰｒｏｔｏ−Ｋｕｔ  ＬａｍｐとしてＢＫＬ  Ｉｎｃ．から入手できる）。前記各ＥＬＰは、発光面と非発光面とを有する。このＥＬＰの非発光面は、発光面が外方に向いた状態で、ほぼ平坦なユニットを形成するように、互いに隣り合って直接接して配置されている。
【００７５】
前記写像部材は、前記ＥＬＰのうち１つの発光面に隣り合って直接接触して配置された写真透明画である。この写真透明画は、図１４に示されているように、下方に向いた翼を持つ天子の像を有する。他の写真透明画は、図１５に示されているように、上方に向いた翼を持つ同じ天子の像を有する。前記遮蔽部材は、４８°の視角を有するＬＣＦである（３Ｍから入手できる）。このＬＦＣは、それぞれ、写真透明画と隣り合って直接接触して配置されている。
【００７６】
前記ＥＬＰ、写真透明画、並びにＬＣＦは、各照明源と、写像部材と、遮蔽部材との周に配置された２重の壁となるように接着されている透明のテープを用いて隣接して支持されている。
【００７７】
動作時に、前記システムは、テーブルなどの水平面に載置され、前記ＥＬＰを発光させるように、また、前記支持ロッドとビューアッセンブリとが軸“ａ”を中心として回転することを可能にするように、前記モーターへの電源が入れられる。上下に動く翼を持つ前記天子の像は、立っていても、座っていても、もしくは膝をついていても、前記テーブルの周りのあらゆる位置から見ることができる。かくして、本実施例は、前記ビューシステムを囲んでいる３６０°の周にわたってあらゆる視聴者に同時に見えるディスプレイを提供する効果的な装置を示している。
【００７８】
（実施例２）
例示的なビューアッセンブリ７００の他の例は、統一的に取り扱われている図１８−２１を参照して示される。本実施例の例示的なビューアッセンブリ７００は、ビデオディスプレイシステムである。
【００７９】
ベース部７０２と上面７０４とを有する支持アッセンブリが、支持部材として用いられている。これらベース部と上面とは、支持及び安定のためのアルミニウムのスペーサー７０６によって、等距離に離間されている。このスペーサー７０６は、１／２インチのアルミニウム製の柱ホルダー７０８によって対向する端部プレートに直接接続されている。
【００８０】
ビューアッセンブリ７１０は、対向する端部キャップ７１４の間に、中空のアルミニウムロッド７１８によって支持されている鋳造アクリルハウジング７１２内に配置されており、前記端部キャップを中心として回転可能である。前記鋳造アクリルハウジング７１２内でビューアッセンブリ７１０を枠に入れて支持しているのは、１／８インチの厚さの２重壁であるプラスチック製の取着面７１６である。前記ビューアッセンブリ７１０は、図９（Ａ）及び９（Ｂ）に示された型式であり、前記取着面７１６に形成された孔（図示されていない）内に配置されている。前記アルミニウムロッドは、前記各端部キャップ７１４の中心と、前記支持アッセンブリのベース部７０２及び上面７０４とを貫通して延出しているが、前記ビューアッセンブリには貫通していない。前記ビューアッセンブリ７１０は、照明源として背面同士が向き合って配置された２つのＥＬＰ（製造番号第Ｈ９０００２Ｗ  Ｐｒｏｔｏ−Ｋｕｔ  Ｌａｍｐとして、ＢＫＬ  Ｉｎｃ．から入手できる）と、前記写像部材として２．３インチカラーＬＣＤスクリーン（製造番号１６−１８０としてＲａｄｉｏ  Ｓｈａｃｋから入手できる）と、実施例１に用いられたのと同じ遮蔽部材とを有する。
【００８１】
ＬＣＤ用の２つのチューナー／ドライバー７２２（カタログ番号第１６−１８０としてＲａｄｉｏ  Ｓｈａｃｋから入手できる）が、前記取着面７１６に支持され、前記ビューアッセンブリとともに回転可能である。この技術分野の通常の知識を有する者は、これら構成要素が、前記取着面に位置されなければならない必要はないことを認識するであろう。例えば、視界からこれら構成要素を遮蔽するために、分離したハウジング内にこれらを設置することが望ましい。
【００８２】
また、ビデオワイヤによって前記ＬＣＤチューナー／ドライバー７２２に接続されたワイヤレスビデオレコーダ７２６（カタログ番号第１５−１９７１としてＲａｄｉｏ  Ｓｈａｃｋから入手できる２．４ＧＨｚのワイヤレスＡＶ配線システム）と、前記ＥＬＰに接続された１２Ｖ  インバータ７２８（商品番号第１５Ｗ５６７８としてＩｎｖｅｒｔｅｒ  Ｄｅｓｉｇｎｓ，Ｉｎｃ．から入手できる）とが、前記ハウジング内に収容されている。
【００８３】
アルミニウムロッドの所定の部分が、前記支持アッセンブリの上面７０４の上方に延出し、非導電性のＰＶＣプラスチックチューブによって絶縁されている。１／４インチ×５／８インチの銅製のコレクタリング７３０の２セットが、前記上面７０４の上方に延出した非導電性のＰＶＣプラスチックチューブの周りに配置されている。複数の非導電性支持部７３２が、４つのボルトのセンターベアリングマウント７３４（部品番号ＶＦ４＄２０８としてＢｒｏｗｎｉｎｇから入手できる）に配置されている。前記コレクタリング７３０にＤＣ電源を伝達するための複数の銅製エミッターワイヤ７３６が、前記ビューアッセンブリの自由な回転を妨げることなく、前記コレクタリングに接触するように、このコレクタリング７３０の周りに覆われている。非導電性の支持部７３２が、それぞれ１２０ボルトのＡＣ電気出力部に接続されるようにされた２つに分かれたＤＣ電源７２０，７３４に延出している。前記コレクタリングの第１のセットには、前記２つのチューナー／ＬＣＤドライバーに電力供給するように、６ボルトの電気が与えられる。前記コレクタリングの第２のセットには、前記ＥＬＰインバータと２．４ＧＨｚワイヤレスＡＶレシーバとに１２ボルトのＤＣ電力が伝達される。
【００８４】
ＶＣＲ７２４（モデル番号ＶＣＨ８００ＵとしてＳｈａｒｐから入手できる）と、２．４ＧＨｚワイヤレスビデオトランスミッタ７３８（カタログ番号第１５−１９７１としてＲａｄｉｏ  Ｓｈａｃｋから入手できる）と、ベース部７０２に囲繞された可変速度のＤＣモーター７４０（モデル番号Ｃ００４７としてＢｏｄｉｎｅから入手できる）と、電源７４２とが、システム７００に含まれているが、このシステム７００の周辺にある。前記モーターは、分離した速度制御部７４４（モデル番号ＢＣ１４１としてＢａｌｄｏｒから入手できる）と、タコメータ７４６（モデル番号ＭＰ６２ＴＡとしてＲｅｄ  Ｌｉｏｎ  Ｃｏｎｔｒｏｌから入手できる）とを有する。前記速度制御部には、１０Ｋ電位差計７４８が、前記モーターの速度を調節するように接続されている。また、タコメータ読出し部７５０（モデル番号Ｄｉｔａｋ  ＃５  Ｐｔ＃  ＤＴ５０００００としてＲｅｄ  Ｌｉｏｎ  Ｃｏｎｔｒｏｌｓから入手できる）を有する。これら可変速度制御部とタコメータ読出し部とは、前記ハウジング内の孔（図示されていない）を貫通して延出している通常のリードワイヤによって、前記モーターに取着されている。前記取着面を支持しているアルミニウムロッドは、前記ビューアッセンブリに回転を与えるために前記モーターに接続されている。
【００８５】
動作時には、前記ＥＬＰを照らすように、また、前記支持ロッドとビューアッセンブリとが軸“ａ”を中心として回転できるように、前記モーターへの電源が入れられる。前記ＶＣＲが前記ワイヤレスビデオトランスミッタにビデオ信号を送ることを可能とするように、これらＶＣＲとビデオトランスミッタとへの電源が入れられる。前記ワイヤレスビデオトランスミッタは、前記ワイヤレスビデオレシーバへの信号を送信し、このレシーバは、前記ビデオチューナーと、前期ＬＣＤドライバーと、ＬＣＤスクリーンとにビデオ信号を配信する。前記ＬＣＤスクリーンの走査速度は、毎秒２９．９７スキャンであり、前記ビューアッセンブリの回転速度は、毎秒約２９．９７回転である。
【００８６】
連続的に動くビデオ画像は、立っていても、座っていても、もしくは膝をついていても、前記テーブルのあらゆる位置から見られ得る。かくして、本実施例は、前記ビューアッセンブリが回転される軸に直交するあらゆる位置で、また、この軸に対して傾斜している複数の位置から、複数の視聴者にビデオディスプレイを同時に提供する効果的な装置を示している。
【００８７】
（実施例３）
上記実施例１及び２の装置は、前記透明なハウジングの周りに、図１９に示されているような偏光フィルタを有するように修正されている。かくして、前記システムが用いられるとき、前記偏光フィルタは、別の状況では、前記透明なハウジングを通して見られるあらゆる構造を視界から隠している。
【００８８】
本発明の特定の実施の形態が、例示のために詳細に説明されているが、本発明の請求の範囲と技術的思想とから逸脱することなく、様々な変化と変形とがなされてよい。電気接触及び動作方法のあらゆる変更と組み合わせとが、必要に応じて様々な用途に実際に利用できる。したがって、本発明は、請求項によることを除いて限定されることはない。
【図面の簡単な説明】
【図１】  図１は、回転可能なビューアッセンブリを含むビューシステムの一実施の形態の斜視図である。
【図２】  図２（Ａ）は、回転中の図１のビューアッセンブリの上面図である。
図２（Ｂ）は、回転中の図１のビューアッセンブリの側面図である。
【図３】  図３（Ａ）は、図１の回転可能なビューアッセンブリの分解された斜視図である。
図３（Ｂ）は、図３（Ａ）のビューアッセンブリの組み立てられた斜視図である。
【図４】  図４は、非平面構造を有するビューアッセンブリの他の実施の形態の上平面図である。
【図５】  図５（Ａ）は、単一の遮蔽部材を用いて得られる視野を図示している。
図５（Ｂ）は、図５（Ａ）に示されているように配置された２つの遮蔽部材を用いて得られる視野を図示している。
【図６】  図６（Ａ）は、ビューアッセンブリの他の実施の形態の分解された斜視図である。
図６（Ｂ）は、図６（Ａ）のビューアッセンブリの組み立てられた斜視図である。
【図７】  図７（Ａ）は、ビューアッセンブリの他の実施の形態の斜視図である。
図７（Ｂ）は、図７（Ａ）のビューアッセンブリの上平面図である。
【図８】  図８（Ａ）は、ビューアッセンブリの他の実施の形態の分解された斜視図である。
図８（Ｂ）は、図８（Ａ）のビューアッセンブリの組み立てられた斜視図である。
【図９】  図９（Ａ）は、ビューアッセンブリの他の実施の形態の分解された斜視図である。
図９（Ｂ）は、図９（Ａ）のビューアッセンブリの組み立てられた斜視図である。
【図１０】  図１０は、照明／像源を含むビューアッセンブリの他の実施の形態の上面図である。
【図１１】  図１１は、照明／像源と偏光フィルタとを含むビューアッセンブリの他の実施の形態の上面図である。
【図１２】  図１２は、回転可能なビューアッセンブリを含むビューシステムの他の実施の形態の分解された斜視図である。
【図１３】  図１３は、図１２のシステムのビューシステムの斜視図である。
【図１４】  図１４は、第１の写像部材を示している図１２のビューアッセンブリの側面図である。
【図１５】  図１５は、第２の写像部材を示している図１２のビューアッセンブリの側面図である。
【図１６】  図１６は、組み立てられた構成の図１２のビューシステムの斜視図である。
【図１７】  図１７は、動作中の図１２のビューシステムの他の実施御形態の斜視図である。
【図１８】  図１８は、ビデオビューシステムであるビューシステムの他の実施の形態の斜視図である。
【図１９】  図１９は、図１８のシステムの一部分の斜視図である。
【図２０】  図２０は、図１９の線２０−２０を通るシステムの側面図である。
【図２１】  図２１は、図１８に示されているビューシステムの部分を形成するビューアッセンブリの上面図である。
【図２２】  図２２は、水平線に対して４５°の角度での偏光角を備えたシート状の偏光フィルムの概略図である。
【図２３】  図２３は、シリンダ形状で配置された図２２のシートを示す図である。
【図１】
0003677241.tif 000002
【図２】
0003677241.tif 000003
【図３】
0003677241.tif 000004
【図４】
0003677241.tif 000005
【図５】
0003677241.tif 000006
【図６】
0003677241.tif 000007
【図７】
0003677241.tif 000008
【図８】
0003677241.tif 000009
【図９】
0003677241.tif 000010
【図１０】
0003677241.tif 000011
【図１１】
0003677241.tif 000012
【図１２】
0003677241.tif 000013
【図１３】
0003677241.tif 000014
【図１４】
0003677241.tif 000015
【図１５】
0003677241.tif 000016
【図１６】
0003677241.tif 000017
【図１７】
0003677241.tif 000018
【図１８】
0003677241.tif 000019
【図１９】
0003677241.tif 000020
【図２０】
0003677241.tif 000021
【図２１】
0003677241.tif 000022
【図２２】
0003677241.tif 000023
【図２３】
0003677241.tif 000024